(57)【特許請求の範囲】
【請求項１】
ディスクが載置され、回転軸に対して一体的に取り付けられるディスク載置部と、
上記ディスク載置部に載置されるディスクに形成された中心孔に係合する先端先細り状のセンタリング部と、
基端部側が上記センタリング部に連結され、自由端側が上記センタリング部の内外周に亘って弾性変位可能となされて上記センタリング部の周回り方向に複数設けられた弾性変位部と、
上記複数の弾性変位部の内周側に配設され、上記弾性変位部の自由端側を上記センタリング部の外周方向に向かって付勢するリング状の弾性体と、
上記弾性変位部を付勢する位置に上記弾性体を支持する支持手段と、
上記支持手段の上記回転軸に対する挿入位置を規制するとともに、上記弾性体の支持位置を規制する規制手段とを有してなるディスク回転駆動機構用のディスクテーブル。
【請求項２】
上記支持手段は、上記規制手段に当接されて、上記ディスク載置部の中心部に一体的に設けられている回転軸取付部に嵌合されていることを特徴とする請求項１記載のディスク回転駆動機構用のディスクテーブル。
【請求項３】
上記ディスク載置部のディスク載置面側に、弾性部材が配設されてなる請求項１記載のディスク回転駆動機構用のディスクテーブル。
【請求項４】
ディスクを回転操作するためのディスク回転駆動機構を備えたディスク記録及び／又は再生装置において、
上記ディスク回転駆動機構は、ディスクが載置され、回転軸に対して一体的に取り付けられるディスクテーブルを備え、
上記ディスクテーブルは、ディスクが載置されるディスク載置部と、上記ディスク載置部に載置されるディスクに形成された中心孔に係合する先端先細り状のセンタリング部と、基端部側が上記センタリング部に連結され、自由端側が上記センタリング部の内外周に亘って弾性変位可能となされて上記センタリング部の周回り方向に複数設けられた弾性変位部と上記複数の弾性変位部の内周側に配設され、上記弾性変位部の自由端側を上記センタリング部の外周方向に向かって付勢するリング状の弾性体と、上記弾性変位部を付勢する位置に上記弾性体を支持する支持手段と、上記支持手段の上記回転軸に対する挿入位置を規制するとともに、上記弾性体の支持位置を規制する規制手段とを有する
ことを特徴とするディスク記録及び／又は再生装置。
【発明の詳細な説明】
【０００１】
【発明の属する技術分野】
本発明は、ディスク記録及び／又は再生装置に用いられるディスク回転駆動機構用のディスクテーブル及びこのディスクテーブルを備えたディスク回転駆動機構を用いたディスク記録及び／又は再生装置に関する。
【０００２】
【従来の技術】
光ディスクや磁気ディスク等のディスクを記録媒体に用いるディスク記録及び／又は再生装置は、ディスクを回転駆動するディスク回転駆動機構を備えている。この種のディスク回転駆動機構として、剛性を有するディスク基板を用いた光ディスクを回転駆動するものがある。光ディスク１を回転駆動するディスク回転駆動機構は、図１に示すように、光ディスク１が装着されるディスクテーブル２と、このディスクテーブル２を光ディスク１とともに回転駆動するスピンドルモータ３とを備えたものが用いられている。
【０００３】
このディスク回転駆動機構に用いられるディスクテーブル２は、図１に示すように、ディスク１が載置される円盤状をなすディスク載置部４の中心部に設けられた筒状をなすスピンドル軸取付部５をスピンドルモータ３のスピンドル軸６の先端側に嵌合することによって、スピンドル軸６と一体に回転するように取り付けられる。
【０００４】
ディスクテーブル２の中心部には、筒状に形成された有底のセンタリング部材収納部７が設けられ、この収納部７に収納するようにしてディスク載置部４に載置されるディスク１のセンター穴１ａが係合するセンタリング部材８が配設されている。このセンタリング部材８は、中心部に設けた筒状をなす軸挿通部９をスピンドル軸６に挿通することによって、収納部７に出没するようにスピンドル軸６の軸方向に進退可能に支持されている。
【０００５】
センタリング部材８の先端側には、光ディスク１のセンター穴１ａに係合し、センター穴１ａの中心とスピンドル軸６の中心を一致させる芯出しを図るセンタリング部１０が設けられている。センタリング部１０は、外周部に先端側に向かって徐々に縮径する湾曲面が形成されている。センタリング部１０の基端部側には、先端側に係合爪１１ａを設けた複数本の抜け止め片１１が垂下するように設けられている。センタリング部材８は、収納部７の内周面に突設した係合突起１２に係合爪１１ａを係合させることにより、収納部７からの抜け止めが図られてスピンドル軸６に支持される。なお、係合突起１２が収納部７の底面７ａから上方側に位置して設けられることにより、センタリング部材８は、係合爪１１ａが収納部７の底面７ａに当接した位置と係合突起１２に係合する位置との間でスピンドル軸６の軸方向に移動する。
【０００６】
そして、センタリング部材８は、このセンタリング部材８と収納部７の底面７ａとの間に配設された圧縮コイルバネ１３の付勢力を受けてセンタリング部１０が収納部７の外方に突出する方向に付勢されている。
【０００７】
このように構成されたディスクテーブル２は、光ディスク１がディスク載置部４に載置されていくとき、センター穴１ａがセンタリング部１０に係合していく。このとき、センター穴１ａの中心とスピンドル軸６の中心が一致しないとき、センタリング部材８がスピンドル軸６の軸方向に進退しながらセンター穴１ａに係合していくことにより、センター穴１ａの中心とスピンドル軸６の中心を一致させる芯出しが行われる。
【０００８】
また、ディスク回転駆動機構に用いられるディスクテーブルとして、図２に示すように構成されたものが用いられている。
【０００９】
このディスクテーブル１５は、図２に示すように、ディスク載置部１６の中心部に第１のセンタリング部材１７を設けている。第１のセンタリング部材１７は、中心部に筒状の嵌合部１７ａが設けられ、この嵌合部１７ａをディスク載置部１６の中心部に設けたスピンドルモータ３のスピンドル軸６への取付部１５ａに嵌合してディスク載置部１６に一体的に取り付けられている。第１のセンタリング部材１７の先端側には、嵌合部１７ａの先端側にこの嵌合部１７ａから膨出するように第１のセンタリング部１７ｂが一体に形成されている。第１のセンタリング部１７ｂは、外周部に先端側に向かって徐々に縮径するような傾斜面が形成されている。
【００１０】
第１のセンタリング部材１７の嵌合部１７ａの外周側には、この嵌合部１７ａに挿通するようにして第２のセンタリング部材１８が取り付けられている。第２のセンタリング部材１８は、中心部に形成した筒状部１８ａを第１のセンタリング部材１７の嵌合部１７ａに挿通し、スピンドル軸６の軸方向に移動可能に取り付けられている。筒状部１８ａの先端側には、この筒状部１８ａから膨出するように第２のセンタリング部１８ｂが一体に形成されている。第２のセンタリング部１８ｂは、外周部に第１のセンタリング部１７ｂに連続する先端側に向かって徐々に縮径するような傾斜面が一体に形成されている。
【００１１】
第２のセンタリング部材１８は、このセンタリング部材１８とディスク載置部１６との間に配設された圧縮コイルバネ１９の付勢力を受けて、第２のセンタリング部１８ｂが第１のセンタリング部材１７の第１のセンタリング部１７ｂに連続するように第１のセンタリング部材１７側に押圧付勢されている。
【００１２】
このように構成されたディスクテーブル１５は、光ディスク１がディスク載置部１６に載置されていくとき、光ディスク１のセンター穴１ａが第１のセンタリング部１７ｂに係合していくことにより、センター穴１ａの中心とスピンドル軸６の中心が一致する方向に光ディスク１をガイドする。センター穴１ａが第１のセンタリング部１７ｂを通過し、第２のセンタリング部１８ｂに係合していくとき、センター穴１ａの中心とスピンドル軸６の中心が一致しない状態にあると、第２のセンタリング部材１８がスピンドル軸６の軸方向に進退しながらセンター穴１ａに係合していきセンター穴１ａの中心とスピンドル軸６の中心を一致させる芯出しが行われる。
【００１３】
さらに、ディスク回転駆動機構に用いられるディスクテーブルとして、図３及び図４に示すように構成されたものが用いられている。
【００１４】
このディスクテーブル２１は、図３及び図４に示すように、ディスク載置部２２のディスク載置面側にセンタリング部２３を一体に形成している。センタリング部２３は、外周部に先端側に向かって徐々に縮径するような傾斜面が形成された円錐台状に形成されている。このセンタリング部２３には、外周部に切り込みを穿設することによって３つの弾性変位部２４が一体に形成されている。これら弾性変位部２４は、図３に示すように、ディスク載置部２２の中心を中心にしてセンタリング部２３の周回り方向に等間隔で設けられ、センタリング部２３の先端側を連結部としセンタリング部２３の基端部側を自由端とされて形成されている。弾性変位部２４は、図４に示すように、自由端側がセンタリング部２３の外周面からやや突出するように形成されている。すなわち、複数の弾性変位片２４の外周径は、センタリング部２３の外周径よりやや大径をなすように形成されている。
【００１５】
このように形成されたディスクテーブル２１は、光ディスク１がディスク載置部２２に載置されていくとき、光ディスク１のセンター穴１ａがセンタリング部２３に係合していく。このとき、センター穴１ａの中心とスピンドル軸６の中心が一致しない状態にあると、センタリング部２３は弾性変位部２４をセンタリング部２３の内外周に弾性変位しながらセンター穴１ａに係合していくことにより、センター穴１ａの中心とスピンドル軸６の中心を一致させる芯出しが図られる。
【００１６】
さらにまた、ディスク回転駆動機構に用いられるディスクテーブル２５として、断変位部などを設けることなく、図５に示すように、ディスク載置部２６のディスク載置面側に外周部に先端側に向かって徐々に縮径するような傾斜面を形成した円錐台状のセンタリング部２７を一体に形成したものが用いられている。
【００１７】
このディスクテーブル２５は、センター穴１ａをセンタリング２７に押し込んでいくことにより、光ディスク１のセンター穴１ａの中心とスピンドル軸６の中心を一致させる芯出しが図られる。
【００１８】
【発明が解決しようとする課題】
ところで、市販されている光ディスク１にあっては、図６に示すように、センター穴１ａの周部に、このセンター穴１ａを形成する際に発生する打ち抜きバリ１ｂが残ったままのものがある。特に、ディスクテーブル２のディスク載置面４側に打ち抜きバリ１ｂが突出したような光ディスク１が図１に示すようなディスクテーブル２に装着されると、図６に示すように、打ち抜きバリ１ｂによりセンタリング部材８が過剰に押圧され光ディスク１の正確なセンタリングを行うことができなくなってしまう。
【００１９】
また、図１に示すディスクテーブル２にあっては、スピンドル軸６が接地面に水平に置かれる縦型で使用されるディスク記録及び／又は再生装置に用いられた場合には、光ディスク１の荷重を受けるセンタリング部材８が偏心し、光ディスク１の回転中心とスピンドル軸６の中心を一致させることができなくなってしまう。
【００２０】
また、図２に示すディスクテーブル１５は、光ディスク１のセンター穴１ａとスピンドル軸６の中心を位置させる芯出し作用を行う第２センタリング部材１８の移動量が小さいため、光ディスク１がディスク載置部１６上に載置されるまでに芯出しを図ることができない場合が生じやすい。すなわち、第２のセンタリング部材１８の一部が押圧されたままの状態で光ディスク１がディスク載置部１６上に載置され、光ディスク１の回転中心とスピンドル軸６の中心を一致させることができなくなってしまう。
【００２１】
さらに、図３及び図４に示すディスクテーブル２１にあっては、光ディスク１の装脱の繰り返しにより弾性変位部２４が変形し耐久性が乏しい。特に、ディスクテーブル２１を合成樹脂により形成したものにあっては、容易に変形してしまい、長期間に亘って正確な芯出し機能を保持することが難しい。
【００２２】
さらにまた、図５に示すように、センタリング部２７に一切の変位部を設けない固定的なディスクテーブル２５は、経年変化などにより芯出し機能が損なわれることは防止できるが、芯出しを図る許容範囲が狭いため、基準通りの径に形成されたセンター穴１ａを有する光ディスク１の範囲でしか正確な芯出しを図ることができず、特に、センター穴１ａの穴径が基準より大きな光ディスク１の芯出しを図ることができない。
【００２３】
そこで、本発明の目的は、ディスクとディスク回転駆動機構の回転中心を一致させるセンタリングを可能となす許容範囲を大きくし、センター穴の周縁に打ち抜きバリや段差を有するディスクでもセンタリング機能を損なうことなく装着を可能となすディスク回転駆動機構用のディスクテーブルを提供することにある。
【００２４】
本発明の他の目的は、使用状態に影響されることなく正確なディスクのセンタリングを行うことを可能となすディスク回転駆動機構用のディスクテーブルを提供することにある。
【００２５】
本発明のさらに他の目的は、耐久性を有し、長期間に亘って正確なディスクのセンタリングを行うことを可能となすディスク回転駆動機構用のディスクテーブルを提供することにある。
【００２６】
【課題を解決するための手段】
上述したような目的を達成するため、本発明に係るディスク回転駆動機構用のディスクテーブルは、ディスク載置部に載置されるディスクに形成された中心孔に係合する先端先細り状のセンタリング部を有し、このセンター部にセンタリング部の内外周に亘って弾性変位可能となされてセンタリング部の周回り方向に複数の弾性変位部を設ける。これら弾性変位部の内周側に弾性変位部の自由端側をセンタリング部の外周方向に向かって付勢するリング状の弾性体を設けることにより、弾性変位部の過剰変位を防止している。
【００２７】
また、このディスクテーブルには、弾性体を弾性変位部を付勢する位置に支持する支持手段が設けられ、確実に弾性変位部を付勢した状態を維持している。
【００２８】
さらに、このディスクテーブルは、ディスク載置部のディスク載置面側に、ディスク載置部に載置されるディスクを保護するための弾性部材が配設されている。
さらにまた、本発明は、上述したようなディスクテーブルを備えたディスク回転駆動機構を用いたディスク記録及び／又は再生装置とするものである。
【００２９】
【発明の実施の形態】
以下、本発明に係るディスク回転駆動機構用のディスクテーブルを図面を参照して説明する。
【００３０】
以下に示すディスクテーブルは、前述したように、合成樹脂やガラスなどの剛性を有するディスク基板を用いた光ディスク１を記録媒体に用いるディスク記録及び／又は再生装置に用いられるディスク回転駆動機構を構成するものである。
【００３１】
本発明に係るディスクテーブル３１が用いられるディスク回転駆動機構３０は、図７及び図８に示すように、ディスクテーブル３１を回転駆動するためのスピンドルモータ３２と、ディスクテーブル３１が一体的に取り付けられるスピンドル軸３３を備える。
【００３２】
スピンドル軸３３に一体的に取り付けられるディスクテーブル３１は、合成樹脂をモールド成形するなどして形成され、図７及び図８に示すように、光ディスク１が載置される円盤状をなすディスク載置部３４を備える。ディスク載置部３４の中心部には、このディスクテーブル３１をスピンドル軸３３の先端側に取り付けるための筒状をなすスピンドル軸取付部３５が一体的に設けられている。ディスクテーブル３１は、スピンドル軸取付部３５をスピンドル軸３３の先端側に嵌合することによってスピンドル軸３３と一体に回転するように取り付けられる。
【００３３】
ディスク載置部３４の光ディスク１が載置される面側の外周部側からディスク載置部３４の外周面に亘ってリング状に弾性部材３６が設けられている。弾性部材３６は、溶融されたゴム材料をディスク載置部３４に塗布することによって形成される。この弾性部材３６は、ゴム材料を用いて形成されることにより、合成樹脂材料を成形して形成されたディスク載置部３４に比し大きな摩擦力を有し、大きな柔軟性を有する。弾性部材３６は、ディスク載置部３４上に光ディスク１が載置されたとき、光ディスク１の荷重を受けて弾性変位することにより、光ディスク１をディスク載置部３４に密着させて載置させることができる。また、弾性部材３４は、大きな摩擦力を有するため、ディスク載置部３４に載置された光ディスク１とディスク載置部３４との間で周回り方向の位置ずれを生じさせることなく、光ディスク１をディスクテーブル３１に確実に一体化した状態を保持して回転駆動することができる。
【００３４】
また、光ディスク１とディスク載置部３４との間に弾性部材３６が介在されることにより、この弾性部材３６によってスピンドルモータ３２側に発生する振動がダンピングされ、光ディスク１に振動が加わることが抑制され、光ディスク１に面振れなどを発生させることなく安定した回転駆動を実現できる。また、光ディスク１が回転することによって発生する振動も弾性部材３６によってダンピングされるため、スピンドルモータ３２の安定した駆動が実現され、正確な回転速度で光ディスク１を回転駆動することができる。
【００３５】
なお、弾性部材３６は、ディスク載置部３４に比し柔軟性を有し、大きな摩擦力を発生するような材料により形成すればよく、柔軟性を有する合成樹脂材料やゴム材で形成した部材を接着剤などによりディスク載置部３４に接合し、あるいは溶着するようにしたものであってもよい。
【００３６】
弾性部材３６は、図７及び図８に示す例では、ディスク載置部３４の外周部側にのみに設けているが、ディスク載置部３４の全面に設けるようにしてもよい。
【００３７】
ディスク載置部３４の光ディスク１が載置される面側の中心部には、光ディスク１の中心部に設けたセンター穴１ａに係合することによって、センター穴１ａの中心をディスクテーブル３１の回転中心に一致させるセンタリング部３７がディスク載置部３４と一体に膨出するように形成されている。このセンタリング部３７は、図７及び図８に示すように、外周部に先端側に向かって徐々に縮径するような傾斜面が形成された円錐台状に形成され、ディスク載置部３４に連続する基端部側にディスク載置部３４から垂直に立ち上がる円筒状の位置決め部３７ａが設けられている。この位置決め部３７ａは、光ディスク１のセンター穴１ａの中心とディスクテーブル３１の回転中心に一致させる位置決めを図る部分であって、標準のセンター穴１ａの内周径Ｒ１とほぼ等しく若しくはやや小さい外周径Ｒ２を有するように形成されている。
【００３８】
センタリング部３７の外周部には、位置決め部３７ａが形成された基端部側から縮径された先端側に向かって切り込み３８を穿設することによって３つの弾性変位部３９が一体に形成されている。これら弾性変位部３９は、図９に示すように、ディスク載置部３４の中心を中心にしてセンタリング部３７の周回り方向に等間隔で設けられている。各弾性変位部３９は、図８及び図１０に示すように、センタリング部３７の先端側を連接部としセンタリング部３７の基端部側を自由端とされて形成され、センタリング部３７への連接部側をヒンジ部としてセンタリング部３７の外周面から出没する方向に弾性変位可能となされている。
【００３９】
各弾性変位部３９の自由端側には、図１０に示すように、ディスク載置部３４の光ディスク１が載置される面とは反対側の下面側に突出する弾性変位規制部３９ａが設けられている。これら弾性変位部３９は、センタリング部３７の外周面から突出する方向に弾性変位されたとき、弾性変位規制部３９ａがディスク載置部３４の内周面に当接することにより、センタリング部３７の外周側への弾性変位量を規制している。
【００４０】
ディスク載置部３４の下面側には、センタリング部３７に形成した弾性変位部３９の自由端側をセンタリング部３７の外周方向に向かって付勢するリング状の弾性体４０が配設される嵌合凹部４１が設けられている。この嵌合凹部４１は、ディスク載置部３４の中心部に膨出するように形成されたセンタリング部３７の傾斜面が形成された外周部３７ｂと、センタリング部３７の中心部に形成されたスピンドル軸３３が突出しこのスピンドル軸３３の先端側に取り付けられる抜け止め部材４２が収納される収納凹部４３を構成する筒状部３７ｃの外周面とによって囲まれた領域をもって構成されている。
【００４１】
リング状の弾性体４０は、ゴムなどの弾性を有する部材により形成され、図８に示すように、センタリング部３７に形成された３つの弾性変位部３９の内周径よりやや大きな外周径Ｒ３を有するように形成されている。この弾性体４０が嵌合凹部４１に嵌合配設されることにより、各弾性変位部３９は自由端側がセンタリング部３７の外周側に向かって押圧される。各弾性変位部３９は、弾性体４０により押圧されることにより、センタリング部３７への連接部側をヒンジ部にして弾性変形し、自由端側がセンタリング部３７の外周面から突出するようになり、センタリング部３７の外周径を大径化する。
【００４２】
嵌合凹部４１に配設された弾性体４０は、図１０に示すように、スピンドル軸取付部３５に嵌合される支持部材４５により支持され、嵌合凹部４１からの抜け止めが図られるとともに、各弾性変位部３９の自由端側を外周側に向かって押圧する位置に支持される。支持部材４５は、金属の薄板状のリング状部材により構成され、図８に示すように、内周側に複数の弾性変位片４５ａを突設したものが用いられ、スピンドル軸取付部３５に嵌合したとき、複数の弾性変位片４５ａがスピンドル軸取付部３５の外周面に圧接することにより、スピンドル軸取付部３５への嵌合位置が位置決めされる。
【００４３】
スピンドル軸取付部３５の外周面には、支持部材４５のスピンドル軸取付部３５の挿入位置を規制し、嵌合凹部４１の嵌合配設された弾性体４０の支持位置を規制する挿入規制突起４６が設けられている。支持部材４５は、挿入位置規制突起４６に当接させてスピンドル軸取付部３５に嵌合させることにより、弾性体４０を過剰に弾性変位させることなく、この弾性体４０が有する弾性力で各弾性変位部３９を押圧し得るように支持する。このように弾性体４０が支持されることにより、弾性力が失われることがなく、弾性変位部３９をセンタリング部３７の内外周に確実に弾性変位可能に支持することができる。
【００４４】
なお、弾性体４０を支持する手段は、各弾性変位部３９の自由端側をセンタリング部３７の外周側に向かって押圧する位置に弾性体４０を支持し得るものであればよく、スピンドル軸取付部３５の外周面に一体に係止突起を設け、この係止突起により、弾性体４０を支持するようにしてもよい。この場合、リング状の弾性体４０は、伸張され係止突起を乗り上げるようにして嵌合凹部４１に嵌合される。
【００４５】
上述のように構成されたディスクテーブル３１は、スピンドル軸取付部３５をスピンドル軸３３の先端側に嵌合する。このとき、ディスクテーブル３１は、図１０に示すように、スピンドル軸取付部３５の下端部がスピンドル軸３３の基部に形成された大径部３３ａに当接するまで嵌合する。スピンドル軸取付部３５が大径部３３ａに当接するまで嵌合されると、センタリング部３７の中心部に設けた収納凹部４３内にスピンドル軸３３の先端が突出する。収納凹部４３に収納するようにスピンドル軸３３の先端部に抜け止め部材４２を嵌合することによって、ディスクテーブル３１は、スピンドル軸３３に対する取り付け高さ位置が位置決めされ、スピンドル軸３３からの抜け止めが図られ、スピンドル軸３３と一体に回転可能な状態に取り付けられる。
【００４６】
上述のように構成されたディスクテーブル３１は、光ディスク１がディスク載置部３４上に載置されていくとき、光ディスク１のセンター穴１ａがセンタリング部３７の先端側に係合した後、センター穴１ａの内周面がセンタリング部３７の傾斜した外周面にガイドされてディスク載置部３４側に降下していく。光ディスク１は、センタリング部３７によってガイドされて降下していく過程で、センター穴１ａの中心とスピンドル軸３３の中心を一致させる芯出しが図られていく。このとき、センター穴１ａの中心とスピンドル軸３３の中心が一致しない状態にあると、弾性変位部３９がセンター穴１ａの内周面に押圧され、センタリング部３７の内外周に出没するように弾性変形され、センター穴１ａの中心をスピンドル軸３３の中心に一致させるように光ディスク１を径方向に移動させながらディスク載置部３４側に降下させる。光ディスク１がセンタリング部３７の基部側まで降下され、ディスク載置部３４上に載置されると、図１１に示すように、センター穴１ａがセンタリング部３７の基部に設けた弾性変位することがない位置決め部３７ａに嵌合する。
【００４７】
このとき、センター穴１ａが標準の内周径Ｒ１をもって形成されている場合には、センター穴１ａの内周面に複数の弾性変位部３９が圧接し、光ディスク１の回転中心とディスクテーブル３１の回転中心とを一致させた芯出しが図られた状態に光ディスク１を保持する。
【００４８】
すなわち、本発明に係るディスクテーブル３１は、センター穴１ａの穴径Ｒ１が位置決め部３７ａの外周径Ｒ２とほぼ等しいものから位置決め部３７ａの外周面側に突出する弾性変位部３９を弾性変位させる足る径を有する範囲にある光ディスク１をディスクテーブル３１の回転中心に回転中心を一致させた芯出しを図って装着することができる。したがって、芯出しを図って装着し得る光ディスク１の許容範囲を大きくすることができる。
【００４９】
また、本発明に係るディスクテーブル３１にあっては、前述した図６に示すように、センター穴１ａのディスクテーブル３１への載置面側の周部にこのセンター穴１ａを形成する際に発生する打ち抜きバリ１ｂが残ったままの光ディスク１が装着された場合には、図１２に示すように、打ち抜きバリ１ｂをいずれかの弾性変位部３９に対応させ、この弾性変位部３９を打ち抜きバリ１ｂで押圧してセンタリング部３７の内周側に撓ませることにより、センター穴１ａの位置決め部３７ａに嵌合させることができるので、光ディスク１の回転中心をディスクテーブル３１の回転中心に一致させる芯出しを図ることができる。
【００５０】
さらに、センター穴１ａのディスクテーブル３１への載置面側の周部に段差１ｃや大きな面取り部１ｄが形成された光ディスク１が装着された場合であっても、図１３に示すように、センター穴１ａの標準の穴径Ｒ１を有する部分がセンタリング部３７の位置決め部３７ａに嵌合することにより、光ディスク１の回転中心をディスクテーブル３１の回転中心に一致させる芯出しを図ることができる。
【００５１】
さらに、本発明に係るディスクテーブル３１は、弾性変位部３９が弾性体４０により押圧支持されているので、光ディスク１の装脱により繰り返し弾性変形されても変形することが防止され長期間亘って芯出し機能が損なわれることが防止できる。
【００５２】
さらにまた、スピンドル軸３３が接地面に水平に置かれる縦型で使用されるディスク記録及び／又は再生装置に用いられた場合でも、光ディスク１の荷重をセンタリング部３７の弾性変位することがない部分で支持することができるので、光ディスク１の正確な芯出しを図ることができる。
【００５３】
なお、センタリング部３７の基端部側に設けられる位置決め部３７ａは、光ディスク１のセンター穴１ａに嵌合し得る高さを有するものであればよい。また、センタリング部３７には、ディスク載置部３４に対し垂直に立ち上がる位置決め部３７ａを積極的に設けることなく、先端部側から基端部側に亘って連続した傾斜面としてもよい。この場合には、弾性変位部３９がセンター穴１ａの内周面に圧接することにより光ディスク１の回転中心をディスクテーブル３１の回転中心に一致させる芯出しが図られる。
【００５４】
上述した説明では、剛性を有するディスク基板を備えた光ディスク１が装着される例を挙げて説明したが、センタリング部３７に係合するセンター穴１ａが設けられた部分に剛性を有するディスクであれば、光ディスク１に限られるものではなく、他のディスクであってもよい。
【００５５】
【発明の効果】
上述したように、本発明に係るディスク回転駆動機構用のディスクテーブルは、ディスクのセンター穴が係合するセンタリング部に弾性変位することがない固定された部分とセンター穴の穴径に応じて弾性変形される複数の弾性変位部を設けてなるので、ディスクとディスク回転駆動機構の回転中心を一致させるセンタリングを可能となす許容範囲を大きくし、センター穴の周縁に打ち抜きバリや段差を有するディスクでもセンタリング機能を損なうことなく装着をすることを可能となす。
【００５６】
さらに、このディスクテーブルに設けられた複数の弾性変位部の内周側に配設され、この弾性変位部の自由端側をセンタリング部の外周方向に向かって付勢するリング状の弾性体と、この弾性体を支持する支持手段と、この支持手段の挿入位置を規制するとともに、弾性体の支持位置を規制する規制手段とを有することによって、弾性体を確実に位置規制し、弾性変位部を常時、リング状の弾性体で付勢して、この弾性変位部のディスク挿脱の繰り返しによる、撓み変形することを防止し、耐久性を備えさせ、長期間に亘って正確なディスクのセンタリングを行うことを可能となす。
【図面の簡単な説明】
【図１】  ディスクテーブルの従来例を示す断面図である。
【図２】  ディスクテーブルの他の従来例を示す断面図である。
【図３】  ディスクテーブルのさらに他の従来例を示す平面図である。
【図４】  図３に示すディスクテーブルのIV-IV線断面図である。
【図５】  ディスクテーブルのさらに他の従来例を示す断面図である。
【図６】  センター穴の周部に打ち抜きバリが発生した光ディスクを図１に示すディスクテーブルに装着した状態を示す断面図である。
【図７】  本発明に係るディスクテーブルをスピンドルモータのスピンドル軸に取り付けた状態を示す側面図である。
【図８】  本発明に係るディスクテーブルの分解斜視図である。
【図９】  本発明に係るディスクテーブルの平面図である。
【図１０】  本発明に係るディスクテーブルの図９におけるXーX線断面図である。
【図１１】  光ディスクを装着した状態を示すディスクテーブルの断面図である。
【図１２】  センター穴の周部に打ち抜きバリが発生した光ディスクを装着した状態を示すディスクテーブルの断面図である。
【図１３】  センター穴の周部に段差や大きな面取り部が形成された光ディスクを装着した状態を示すディスクテーブルの断面図である。
【符号の説明】
３１  ディスクテーブル、３２  スピンドルモータ、３３  スピンドル軸、３４  ディスク載置部、３６  弾性部材、３７  センタリング部、３９  弾性変位部、４０  リング状の弾性体、４５  弾性体の支持部材
【図１】
0003978926.tif 000002
【図２】
0003978926.tif 000003
【図３】
0003978926.tif 000004
【図４】
0003978926.tif 000005
【図５】
0003978926.tif 000006
【図６】
0003978926.tif 000007
【図７】
0003978926.tif 000008
【図８】
0003978926.tif 000009
【図９】
0003978926.tif 000010
【図１０】
0003978926.tif 000011
【図１１】
0003978926.tif 000012
【図１２】
0003978926.tif 000013
【図１３】
0003978926.tif 000014